(57)【要約】  押し上げ部材により移動部材が押し上げられて、押さえ部材が上昇される。押し上げ部材及び被動部材を介して支持ブロックが前方へ移動される。この移動によるカム作用により、押さえ部材が成形ドラムのバルーン上のフィラーの上方に位置する。このため、押し上げ部材が下降されて、フィラーの先端部がバルーン上に押さえ付けられる。この状態で、成形ドラムが回転されて、フィラーが環状に成形される。その後、押さえ部材がフィラーから離れ、押さえ部材が成形ドラム外の退避位置に配置される。前記押し上げ部材と被動部材とは分離されるようになっており、その状態で、成形ドラムは単独で回転できる。
2015129019.tif 000002
【特許請求の範囲】
【請求項１】
成形ドラムと、
その成形ドラムに支持され、成形ドラムの周面に接近する位置と周面から離間する位置との間を移動可能であって、接近位置において成形ドラムの周面上のフィラーを押さえ可能な押さえ部材と、
その押さえ部材と一体的に移動可能な被動部材と、
アクチュエータによって、前記被動部材から離間する位置と、被動部材と当接する位置との間を移動可能であって、前記押さえ部材を被動部材とともに成形ドラムの周面から離間する方向に移動させる作動部材と
を備えたビードユニット組立て装置。
【請求項２】
前記成形ドラムは外周にバルーンを搭載し、バルーンの膨張によってフィラーがビードコアとともに起立される請求項１に記載のビードユニット組立て装置。
【請求項３】
前記成形ドラムの中心を中心に放射方向に移動可能な移動部材を成形ドラムに支持し、前記押さえ部材を移動部材に支持した請求項１に記載のビードユニット組立て装置。
【請求項４】
前記移動部材を成形ドラムの中心側に付勢する付勢部材を設けた請求項３に記載のビードユニット組立て装置。
【請求項５】
前記押さえ部材を、成形ドラムの周面と対向する位置と、そこから退避する位置との間を移動可能に、前記移動部材に支持した請求項３に記載のビードユニット組立て装置。
【請求項６】
前記カム作用を利用して、押さえ部材を、作用位置と退避位置との間で移動可能にした請求項５に記載のビードユニット組立て装置。
【発明の詳細な説明】
【技術分野】
【０００１】
本発明は、ビードコアとフィラーとを組立てるためのビードユニット組立て装置に関する。
【背景技術】
【０００２】
通常、タイヤのビード部には、ビードコアとフィラーとよりなるビードユニットが埋設される。ビードユニットは、ビードコアとフィラーとがタイヤへの埋設前に一体化されて構成される（例えば、特許文献１）。
【先行技術文献】
【特許文献】
【０００３】
【特許文献１】特開２００２―３６１７５７号公報
【発明の概要】
【発明が解決しようとする課題】
【０００４】
しかしながら、従来技術においては、ビードコアとフィラーとの組立てを簡単な構成を用いて、能率良く遂行することについては改善の余地があった。【０００５】
本発明の目的は、ビードコアとフィラーとの組立てを、簡単な構成を用いて、能率良く遂行できるようにすることにある。
【課題を解決するための手段】
【０００６】
上記の目的を達成するために、本発明においては、成形ドラムと、その成形ドラムに支持され、成形ドラムの周面に接近する位置と周面から離間する位置との間を移動可能であって、接近位置において成形ドラムの周面上のフィラーを押さえ可能な押さえ部材と、その押さえ部材と一体的に移動可能な被動部材と、アクチュエータによって、被動部材から離間する位置と、被動部材と当接して押さえ部材を被動部材とともに成形ドラムから離間する方向に移動させる作動部材とを備えたたビードユニット組立て装置が提供される。【０００７】
このようにすれば、押さえ部材を押さえ位置や退避位置に移動させるためのエアシリンダ等のアクチュエータを成形ドラム側に設ける必要はない。従って、成形ドラムとその外部との間に、複雑な構成の配管等を設ける必要がない。従って、成形装置の構成が簡単になり、成形ドラム上においてビードユニットを容易に組立てることができる。
【発明の効果】
【０００８】
本発明によれば、ビードコアとフィラーとを有するビードユニットを簡単な装置で容易に組立てることができる。
【図面の簡単な説明】
【０００９】
【図１】ビードユニット組立て装置の一部破断平面図。
【図２】ビードユニット組立て装置の正面図。
【図３】成形ドラム上にフィラーが存在していない状態を示す一部破断側面図。
【図４】カムローラの周辺機構を示す拡大平面図。
【図５】カムローラ及び押さえ部材を示す拡大断面図。
【図６】フィラーの巻き回初期を示す正面図。
【図７】成形ドラム上にフィラーが存在している態を示す一部破断側面図。
【図８】フィラーの巻き回初期におけるフィラーの押さえ状態を示す一部破断平面図。
【図９】フィラーの押さえ状態を示す部分断面図。
【図１０】フィラーの巻き回終了時を示す平面図。
【図１１】バルーンの膨張状態を示す平面図。
【図１２】バルーンの膨張状態を示す部分断面図。
【発明を実施するための形態】
【００１０】
以下、ビードユニット組立て装置の実施形態について説明する。
【００１１】
図１〜図３に示すように、フレーム１１には、成形ドラム１２が、水平なドラム軸１３を中心に回転可能に支持されている。成形ドラム１２には、幅広の第１装着部１５と幅狭の第２装着部１６とが軸方向において隣接されている。第２装着部１６は、ドラム軸１３を中心に拡縮可能に構成されている。第１装着部１５の第２装着部１６側の端部には、全体として環状をなすバルーン１７の縁部、が気密状に固着されている。第２装着部１６は、バルーン１７内にエアを供給するためのスリット１４を有している。バルーン１７は、その形態が成形ドラム１２の第１装着部１５の外周面において２つ折り状にされた扁平状態と、バルーン１７内部にエアが注入された膨張状態との間で変更される。
【００１２】
図３に示すように、成形ドラム１２から後方へ離間した位置において、前記フレーム１１には上部エアシリンダ２１が固定され、そのピストンロッド２１１が下方に向かって延びている。ここでは、図３の左側を前部とする。ピストンロッド２１１の先端には下部エアシリンダ２２が固定され、その下部エアシリンダ２２のピストンロッド２２１が成形ドラム１２に向かって前方に延びている。下部エアシリンダ２２のピストンロッド２２１の先端には、作動部材としての押し上げ部材２３が固定されている。
【００１３】
図３及び図５に示すように、成形ドラム１２の背面には、成形ドラム１２の放射方向に延びる案内レール３１が固定されている。案内レール３１には、移動部材３２が成形ドラム１２の放射方向に移動可能に支持されており、移動部材３２は、付勢部材としてのスプリング３９により成形ドラム１２の中心側に向かって付勢されている。移動部材３２の成形ドラム１２の中心側の移動限は、ストッパ３３で規制される。
【００１４】
図４及び図５に示すように、移動部材３２の上端部には、案内筒部３４が形成されている。案内筒部３４には、支持ロッド３５が前後方向に移動可能に支持されている。支持ロッド３５の後端には、被動部材３６が固定されている。被動部材３６には、上部及び下部エアシリンダ２２の作動に基づいて押し上げ部材２３が接離可能になっている。押し上げ部材２３及び被動部材３６の一方には凹部３７が、他方には凹部３７内に嵌合可能な突部３８が形成され、押し上げ部材２３と被動部材３６との当接において、嵌合し合う凹部３７と突部３８とにより、当接状態が保持される。
【００１５】
支持ロッド３５の前端には、支持ブロック４１が固定されている。支持ブロック４１には、成形ドラム１２の放射方向に延びる支持孔４２が形成されている。支持孔４２には、支持軸４３が回転可能に支持されている。支持軸４３の先端には、レバー４４が固定されている。レバー４４の先端部には、カムローラ４５が回転可能に支持されている。カムローラ４５は、案内筒部３４の前面及び支持ブロック４１の側面との間において移動される。これにより、レバー４４の回動範囲が、図４に示す第１位置と図８に示す第２位置との間の９０度に規制される。スプリング５７は、カムローラ４５が案内筒部３４の前面及び支持ブロック４１の側面に当接するように付勢する。
【００１６】
図３及び図５に示すように、支持軸４３の基端には、押さえ部材４６が固定されている。押さえ部材４６は、レバー４４及び支持軸４３の回転にともない成形ドラム１２側の位置と、成形ドラム１２外の位置とに配置される。
【００１７】
次に、ビードユニット組立て装置の作用を説明する。
【００１８】
図１〜図５は、ビードユニット組立て工程の初期状態を示している。
【００１９】
この状態においては、成形ドラム１２が停止されて、成形ドラム１２上の移動部材３２等の各種部材が上側の位置に配置されている。
【００２０】
そして、この状態においては、上部エアシリンダ２１のピストンロッド２１１が下方へ突出するとともに、下部エアシリンダ２２のピストンロッド２２１が後方へ没入されて、押し上げ部材２３が後部下方の退避位置に配置されている。また、移動部材３２がスプリング３９の付勢力によってストッパ３３で規制される下方位置にあるとともに、支持ブロック４１が後方位置に配置されて、被動部材３６が押し上げ部材２３に対して上方から対向されている。
【００２１】
さらに、この状態においては、スプリング３９の付勢力により、カムローラ４５が案内筒部３４の前面に接合して、レバー４４が第１位置に配置される。これによって、押さえ部材４６が成形ドラム１２外の退避位置に配置されている。また、成形ドラム１２上においてバルーン１７が２つ折りの扁平状態にされている。
【００２２】
この状態において、図６に示すように、停止している成形ドラム１２の外周のバルーン１７上にフィラー６１の先端が供給される。また、図７に示すように、成形ドラム１２の縮径状態の第２装着部１６の外周に環状のビードコア６２が装着される。その後、第２装着部１６が拡径状態になって、ビードコア６２がその内周側から保持される。
【００２３】
次いで、上部エアシリンダ２１のピストンロッド２１１が没入されて、押し上げ部材２３が上昇される。このため、押し上げ部材２３が被動部材３６に下方から当接される。引き続き、図７に示すように、移動部材３２が押し上げ部材２３の上昇によって、スプリング３９の付勢力に抗して押し上げられる。
【００２４】
次いで、図７に示すように、下部エアシリンダ２２のピストンロッド２２１が突出される。このため、押し上げ部材２３及び被動部材３６を介して支持ブロック４１が前方へ移動される。この移動により、図８から明らかなように、スプリング３９の付勢力によりカムローラ４５が移動部材３２の前面を転動し、次いで、支持ブロック４１の側面に移動し、レバー４４が９０度回転される。従って、押さえ部材４６も前方位置において９０度回転し、押さえ部材４６がバルーン１７上のフィラー６１の先端部の上方に位置する。
【００２５】
その後、上部エアシリンダ２１のピストンロッド２１１が下方へ突出して、押し上げ部材２３が下降される。このため、移動部材３２が自重及びスプリング３９の付勢力によって下降される。そして、この下降により、図９に示すように、押さえ部材４６も下降されて、押さえ部材４６によってフィラー６１の先端部がバルーン１７上に押さえ付けられる。
【００２６】
上部エアシリンダ２１のピストンロッド２１１はさらに下方へ突出される。このため、押し上げ部材２３が被動部材３６から外れ、両者２３，３６が分離される。従って、この状態で、成形ドラム１２側の機構は、シリンダ２１，２２側の機構から切り離され、成形ドラム１２は回転可能な状態になる。その後、図８に示すように、下部エアシリンダ２２のピストンロッド２２１が後方へ没入され、押し上げ部材２３は退避位置に配置される。
【００２７】
この状態で、成形ドラム１２の回転が開始される。そして、成形ドラム１２が、移動部材３２等とともに一体的に１回転される。それとともに、成形ドラム１２のバルーン１７上にフィラー６１が供給されて、フィラー６１がその先端からの所定の距離位置で切断される。そして、図１０に示すように、フィラー６１の両端が相互に圧着されて環状に成形される。
【００２８】
その後、上部エアシリンダ２１のピストンロッド２１１の没入及び下部エアシリンダ２２の前方への突出により、押し上げ部材２３と被動部材３６との当接を介して支持ブロック４１が上昇される。このため、押さえ部材４６がフィラー６１から上方へ離れる。次いで、下部エアシリンダ２２の後方への没入によって支持ロッド３５が後退する。また、スプリング４７の付勢力及びカムローラ４５のカム作用により、レバー４４が９０度回転され、押さえ部材４６が成形ドラム１２外の退避位置に配置される。
【００２９】
そして、上部エアシリンダ２１のピストンロッド２１１の下方への突出及び下部エアシリンダ２２の後方への没入により、押し上げ部材２３が被動部材３６とから離れ、後方の退避位置に移動される。従って、移動部材３２等が、自重及びスプリング３９の付勢力により、ストッパ３３で規制される図１の下降限に位置に配置される。
【００３０】
そして、図１１及び図１２に示すように、バルーン１７が膨張されて、フィラー６１がビードコア６２上において起立されて、ビードユニットが組立てられる。
【００３１】
最後に、成形ドラム１２の第２装着部１６が縮径して、ビード６２とフィラー６１とのユニットが成形ドラム１２から外されて、タイヤ製造のための次工程に送られる。
【００３２】
従って、本実施形態では以下の効果がある。
【００３３】
押さえ部材４６を押さえ位置や退避位置に移動させるためのエアシリンダ等のアクチュエータを、成形ドラム１２側に設ける必要はない。従って、回転される成形ドラム１２上にエアシリンダのための配管等を接続したり、成形ドラム１２の回転を許容する複雑な構成のジョイント等を設けたりする必要はない。従って、成形装置の構成が簡単になるばかりでなく、成形ドラム１２上においてビードユニットを容易に組立てることができる。
【００３４】
成形ドラム１２上において押さえ部材４６を移動させたりするための駆動機構が不要になるため、成形ドラム１２を軽量化できる。従って、成形ドラム１２を回転させるための動力も小さくて済み、省エネルギーに有効である。
【００３５】
押さえ部材４６の押さえ位置と退避位置との移動がカム作用を利用して行なわれるため、構造が簡単である。
【００３６】
前記実施形態は以下のように変更してもよい。
【００３７】
押し上げ部材２３を移動させるための駆動部材として、エアシリンダに代えてモータとそのモータによって回転されるネジ機構を用いてもよい。
【００３８】
下部エアシリンダ２２を省略し、押し上げ部材２３が被動部材３６の下方において成形ドラム１２の軸線方向に沿って移動するのみの構成としてもよい。
【符号の説明】
【００３９】
１２…成形ドラム、１７…バルーン、２１…上部エアシリンダ、２２…下部エアシリンダ、２３…押し上げ部材、３２…移動部材、３６…被動部材、３９…スプリング、４４…レバー、４５…カムローラ、４６…押さえ部材、６１…フィラー、６２…ビードコア。
【図１】
2015129019.tif 000003
【図２】
2015129019.tif 000004
【図３】
2015129019.tif 000005
【図４】
2015129019.tif 000006
【図５】
2015129019.tif 000007
【図６】
2015129019.tif 000008
【図７】
2015129019.tif 000009
【図８】
2015129019.tif 000010
【図９】
2015129019.tif 000011
【図１０】
2015129019.tif 000012
【図１１】
2015129019.tif 000013
【図１２】
2015129019.tif 000014
【国際調査報告】
2015129019.tif 000015
2015129019.tif 000016
2015129019.tif 000017
2015129019.tif 000018